【事件の表示】
　特願２０１４−１６１９８８「パチンコ遊技機」拒絶査定不服審判事件〔平成２６年１２月１１日出願公開、特開２０１４−２３０９００〕について、次のとおり審決する。
【結　論】
　本件審判の請求は、成り立たない。
【理　由】
第１　手続の経緯
　本願は、平成２１年８月２６日に出願された特願２００９−１９５５９６号の一部を平成２６年８月８日に新たに特許出願したものであって、平成２７年７月２８日付けで拒絶理由通知がなされ、これに対して同年９月２５日に意見書及び手続補正書が提出され、平成２８年３月１８日付けで最後の拒絶理由通知がされ、これに対して同年５月９日付けで意見書及び手続補正書が提出されたが、同年１１月４日付け（発送日：同年１１月１５日）で同年５月９日付けの手続補正が却下されるとともに拒絶査定がなされ、これに対して、平成２９年１月１８日付けで拒絶査定不服審判の請求がなされると同時に手続補正書が提出されたものである。
第２　平成２９年１月１８日付け手続補正についての補正却下の決定
［補正の却下の決定の結論］
　平成２９年１月１８日付け手続補正（以下、「本件補正」という。）を却下する。
［理由］
１．本件補正の概要
　本件補正は、特許請求の範囲の請求項１の記載の補正を含む補正であり、本件補正前の平成２７年９月２５日付けの手続補正書における請求項１の記載と、本件補正後の特許請求の範囲の請求項１の記載は、それぞれ、次のとおりである（下線部は、補正箇所を示す。）。
（補正前：平成２７年９月２５日付け手続補正）
「【請求項１】
　遊技球の入賞により、第１特別図柄の変動表示を開始させる権利を発生させる第１始動口と、
　遊技球の入賞により、第２特別図柄の変動表示を開始させる権利を発生させる第２始動口と、
　前記第１特別図柄及び前記第２特別図柄が表示される図柄表示装置を有するパチンコ遊技機であって、
　前記図柄表示装置は、ＬＥＤの単体を列状に配置した特別図柄の表示部と、その他の遊技関連情報の表示部とを、集約配置したものであり、前記特別図柄の表示部を構成するランプの点灯および消灯の組合せによる表示態様により、前記第１特別図柄及び前記第２特別図柄を表示するものであることを特徴とするパチンコ遊技機。」
（補正後：平成２９年１月１８日付け手続補正）
「【請求項１】
Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ　前記図柄表示装置は、
遊技領域形成部材であるレールの外側に配置されるとともに、
ＬＥＤの単体を列状に配置した
当たり価値の異なる複数の種別をそれぞれ異なる組み合わせ態様で表示可能な
（下線部は補正箇所を示す。Ａ〜Ｄは本願補正発明を分説するために当審で付した。）。
２．補正の適否
（１）本件補正
　本件補正は、特許請求の範囲の記載について、以下の補正事項を含むものである。
　本件補正前の請求項１における「前記図柄表示装置は、ＬＥＤの単体を列状に配置した特別図柄の表示部と、その他の遊技関連情報の表示部とを、集約配置したものであり、前記特別図柄の表示部を構成するランプの点灯および消灯の組合せによる表示態様により、前記第１特別図柄及び前記第２特別図柄を表示するものである」という記載を、本件補正後の請求項１において「前記図柄表示装置は、
遊技領域形成部材であるレールの外側に配置されるとともに、
ＬＥＤの単体を列状に配置した
当たり価値の異なる複数の種別をそれぞれ異なる組み合わせ態様で表示可能な
（２）補正の目的等についての検討
　上記補正事項は、「図柄表示装置」について、「遊技領域形成部材であるレールの外側に配置される」ものに限定し、それに配置される「その他の遊技関連情報の表示部」を「ＬＥＤの単体を列状に配置した」ものに限定し、それが表示する「前記第１特別図柄及び前記第２特別図柄」を「当たり価値の異なる複数の種別をそれぞれ異なる組み合わせ態様で表示可能な」ものに限定する補正であり、かつ、産業上の利用分野及び解決しようとする課題が同一であるので、特許法第１７条の２第５項第２号に規定する特許請求の範囲の減縮を目的とするものに該当する。
　そして、本件補正は新規事項を追加するものではない。
３．独立特許要件について
　本件補正後の請求項１に記載された発明(以下「本願補正発明」という。)が、特許出願の際独立して特許を受けることができるものであるか（特許法第１７条の２第６項において準用する同法第１２６条第７項の規定に適合するか）について以下に検討する。
（１）本件補正後の請求項１に係る発明
　補正後の請求項１に係る発明（以下、「本願補正発明」という。）は、上記「１．本件補正の概要」に本件補正後の請求項１として記載したとおりのものである。
（２）刊行物に記載された事項
（２−１）刊行物１
　原査定の拒絶の理由（平成２８年３月１８日付け拒絶理由通知）に引用文献２として引用された特開２００８−２１２３５５号公報（以下「刊行物１」という。）には、図面と共に以下の事項が記載されている（下線は当審で付した。以下同じ。）。
（１−ア）「【００２７】
　図１及び図２に示すように、第１実施形態に係る遊技機である
パチンコ機（遊技機）１０
には、
内枠１４
が設けられている。
（１−イ）「【００３４】
　また、内枠１４には、遊技領域２８（図３参照）の形状に合致した開口部（図示省略）が形成されている。この
内枠１４
には、遊技盤２６
が取り付けられる。
遊技盤２６の遊技領域２８
（１−ウ）「【００３９】
　ここで、本実施形態のパチンコ機１０では、例えば、
大当りとして２種類のものが
設定されている。具体的には、
確変大当りがある。また、
通常大当りがある。
（１−エ）「【００６３】
　また、図３に示すように、
遊技領域２８上
には、始動入賞装置６０が配置されている。始動入賞装置６０には、
２つの始動口６０Ａ、６０Ｂが
設けられた構成となっている。
遊技球が各始動口６０Ａ、６０Ｂのいずれか一方に入賞すると、特別図柄（大当り）の抽選処理が開始されるとともに、特別図柄表示ＬＥＤ１４８
において特別図柄の変動表示が開始される
（１−オ）「【００６７】
　また、
遊技領域２８上
には、
ＬＥＤ表示基板（図柄表示装置）６６が配置されている。このＬＥＤ表示基板６６は、特別図柄
を表示する複数の特別図柄表示ＬＥＤ１４８と、複数の普通図柄保留表示ＬＥＤ１５０と、複数の特別図柄保留表示ＬＥＤ１５２
を備えている。
【００６８】
　
各普通図柄保留表示ＬＥＤ１５０及び各特別図柄保留表示ＬＥＤ１５２は、
特別図柄表示ＬＥＤ１４８に近接して配置されている。普通図柄保留表示ＬＥＤ１５０は、普通図柄作動ゲート６４を通過した遊技球の数を
表示するものである。また、特別図柄保留表示ＬＥＤ１５２は、始動口６０Ａ、６０Ｂに入球した遊技球の数も
表示するものである。
特別図柄表示ＬＥＤ１４８に
大当り図柄が停止表示されると大当りが発生し
特別図柄表示ＬＥＤ１４８にて表示される特別図柄
は
抽選結果
を示すものである。
（１−カ）上記（１−オ）の段落【００６７】には、「複数の特別図柄表示ＬＥＤ１４８・・・複数の普通図柄保留表示ＬＥＤ１５０・・・複数の特別図柄保留表示ＬＥＤ１５２」と記載されているから、図３において符号「１４８」、「１５０」及び「１５２」で示された箇所には、それぞれ、複数の特別図柄表示ＬＥＤ１４８、複数の普通図柄保留表示ＬＥＤ１５０及び複数の特別図柄保留表示ＬＥＤ１５２が図示されており、図３の図示内容から、符号「１４８」、「１５０」及び「１５２」で示された箇所のそれぞれにおいては、複数の「○」で記載された部材が、列状に配置されていることがみてとれる。
　よって、図３には、
複数の特別図柄表示ＬＥＤ１４８、普通図柄保留表示ＬＥＤ１５０及び特別図柄保留表示ＬＥＤ１５２が、それぞれ列状に配置されている
　上記（１−ア）〜（１−オ）の記載事項、上記（１−カ）で認定される図示内容により、以下の事項が導かれる。
（１−キ）上記（１−エ）の段落【００６３】には、「遊技球が各始動口６０Ａ、６０Ｂのいずれか一方に入賞すると、特別図柄・・・の抽選処理が開始されるとともに、特別図柄表示ＬＥＤ１４８・・・において特別図柄の変動表示が開始される」と記載され、上記（１−オ）の段落【００６８】には、「特別図柄表示ＬＥＤ１４８にて表示される特別図柄・・・は、・・・抽選結果・・・を示すものである。」と記載されているから、
始動口６０Ａへの遊技球の入賞により、抽選処理及び当該抽選処理の抽選結果を示す特別図柄の変動表示が開始され、始動口６０Ｂへの遊技球の入賞により、抽選処理及び抽選結果を示す特別図柄の変動表示が開始される
　また、上記（１−エ）の段落【００６３】には、「遊技領域２８上・・・には、始動入賞装置６０が配置されている。始動入賞装置６０には、・・・始動口６０Ａ、６０Ｂが・・・設けられた構成となっている。」と記載されているから、
始動口６０Ａ及び始動口６０Ｂは、遊技領域２８上に設けられている
　そして、上記（１−イ）の【００３４】の「内枠１４・・・には、遊技盤２６・・・が取り付けられる。・・・遊技盤２６の遊技領域２８」という記載により、
遊技領域２８は、
内枠１４に設けられている
内枠１４は、パチンコ機１０に設けられている
遊技領域２８がパチンコ機１０に設けられている
　したがって、
始動口６０Ａ及び始動口Ｂは、パチンコ機１０に設けられている
　よって、刊行物１には、
　
パチンコ機１０が、
　
遊技球の入賞により、抽選処理及び当該抽選処理の抽選結果を示す特別図柄の変動表示が開始される始動口６０Ａと、
　
遊技球の入賞により、抽選処理及び当該抽選処理の抽選結果を示す特別図柄の変動表示が開始される始動口６０Ｂと、を有すること
（１−ク）上記（１−エ）の段落【００６３】には、「遊技球が各始動口６０Ａ、６０Ｂのいずれか一方に入賞すると、特別図柄・・・の抽選処理が開始される」と記載され、上記（１−オ）の段落【００６８】には、「特別図柄表示ＬＥＤ１４８にて表示される特別図柄・・・は、・・・抽選結果・・・を示すものである。」と記載されているから、
特別図柄表示ＬＥＤ１４８は、始動口６０Ａまたは始動口６０Ｂへの遊技球の入賞により開始される抽選処理の抽選結果を示す特別図柄を表示する
　また、上記（１−オ）の段落【００６７】には、「遊技領域２８上・・・には、・・・ＬＥＤ表示基板（図柄表示装置）６６が配置されている。このＬＥＤ表示基板６６は、特別図柄・・・を表示する・・・特別図柄表示ＬＥＤ１４８・・・を備えている。」と記載されているから、
図柄表示装置である特別図柄表示ＬＥＤ１４８は、遊技領域２８上に配置されたＬＥＤ表示基板６６に配置されている
　したがって、
遊技領域２８上に配置された図柄表示装置であるＬＥＤ表示基板６６は、特別図柄表示ＬＥＤ１４８に、始動口６０Ａへの遊技球の入賞により開始される抽選処理の抽選結果を示す特別図柄と、始動口６０Ｂへの遊技球の入賞により開始される抽選処理の抽選結果を示す特別図柄とを表示する
　そして、上記（１−イ）の段落【００３４】の「内枠１４・・・には、遊技盤２６・・・が取り付けられる。・・・遊技盤２６の遊技領域２８」という記載により、
遊技領域２８は、
内枠１４に設けられている
内枠１４はパチンコ機１０に設けられている
遊技領域２８がパチンコ機１０に設けられている
　したがって、遊技領域２８上に配置された
ＬＥＤ表示基板６６は、パチンコ機１０に設けられている
　よって、刊行物１には、
パチンコ機１０が、始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有する
（１−ケ）上記（１−オ）の段落【００６７】には、「ＬＥＤ表示基板６６は、特別図柄・・・を表示する複数の特別図柄表示ＬＥＤ１４８と、複数の普通図柄保留表示ＬＥＤ１５０と、複数の特別図柄保留表示ＬＥＤ１５２・・・を備えている。」と記載され、上記（１−オ）の段落【００６８】には、「各普通図柄保留表示ＬＥＤ１５０及び各特別図柄保留表示ＬＥＤ１５２は、・・・特別図柄表示ＬＥＤ１４８に近接して配置されている。普通図柄保留表示ＬＥＤ１５０は、普通図柄作動ゲート６４を通過した遊技球の数を・・・表示するものである。また、特別図柄保留表示ＬＥＤ１５２は、始動口６０Ａ、６０Ｂに入球した遊技球の数も・・・表示するものである。」と記載されている。
　また、上記（１−カ）により図３には、複数の特別図柄表示ＬＥＤ１４８、普通図柄保留表示ＬＥＤ１５０及び特別図柄保留表示ＬＥＤ１５２が、それぞれ列状に配置されていることが図示されている。
　したがって、
ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置した図柄表示装置である
　また、上記（１−エ）の段落【００６３】には、「特別図柄（大当り）の抽選」と記載され、上記（１−オ）の段落【００６８】には、「特別図柄表示ＬＥＤ１４８に・・・大当り図柄が停止表示されると大当りが発生し・・・特別図柄表示ＬＥＤ１４８にて表示される特別図柄・・・は、・・・抽選結果・・・を示すものである。」と記載され、上記（１−ウ）の【００３９】には、「大当りとして２種類のものが・・・設定されている。具体的には、・・・確変大当りがある。また、・・・通常大当りがある。」と記載されているから、
特別図柄表示ＬＥＤ１４８は、大当りの抽選結果として、確変大当りと通常大当りとの２種類を大当り図柄で停止表示するものである
　そして、上記認定事項（１−キ）により、
特別図柄は、始動口６０Ａまたは始動口６０Ｂへの遊技球の入賞により開始される抽選処理の抽選結果を示すものである
　よって、刊行物１には、
ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置したものであり、複数の特別図柄表示ＬＥＤ１４８により表示される特別図柄により、確変大当りと通常大当りとの２種類の大当りの抽選結果を大当り図柄で停止表示し、始動口６０Ａまたは始動口６０Ｂへの遊技球の入賞により開始される抽選処理の抽選結果を示す
　上記（１−ア）〜（１−オ）の記載事項、上記（１−カ）で認定された図示内容、及び（１−キ）〜（１−ケ）の認定事項により、刊行物１には、次の発明が記載されていると認められる（以下、「刊行物１発明」という。）。
「ａ　遊技球の入賞により、抽選処理及び当該抽選処理の抽選結果を示す特別図柄の変動表示が開始される始動口６０Ａと（上記（１−キ））、
ｂ　遊技球の入賞により、抽選処理及び当該抽選処理の抽選結果を示す特別図柄の変動表示が開始される始動口６０Ｂと（上記（１−キ））、
ｃ　始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有するパチンコ機１０であって（上記（１−ク））、
ｄ　ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置したものであり、複数の特別図柄表示ＬＥＤ１４８により表示される特別図柄により、確変大当りと通常大当りとの２種類の大当りの抽選結果を大当り図柄で停止表示し、始動口６０Ａまたは始動口６０Ｂへの遊技球の入賞により開始される抽選処理の抽選結果を示す、パチンコ機１０（上記（１−ケ））。」
（２−２）刊行物２
　平成２８年１１月４日付け補正の却下の決定に引用文献４として引用された特開２００８−１４８７３１号公報（以下「刊行物２」という。）には、図面と共に以下の事項が記載されている（下線は当審で付した。以下同じ。）。
（２−ア）「【００１０】
　以下、本発明の実施形態を示す一実施例について図面を用いて説明する。本発明の遊技機を
パチンコ遊技機（以下、単に遊技機という）
【００１１】
　図１は、本実施例の遊技機１の正面図である。図１に示すように、
遊技機１
は、
遊技盤２０
を備えている。
（２−イ）「【００１９】
　図２に示すように、遊技盤２０には、遊技盤２０の表面に設けられた外レール２２と内レール２３とにより略円形状の遊技領域２１が形成されている。
遊技領域２１内には、
第２装飾部材６０
が配設されている。
【００２０】
　中央装置２４は遊技領域２１の略中央部に配置され、図柄表示装置２５が設けられている。大入賞装置３３は遊技領域２１における中央装置２４の下方に配置されている。第１装飾部材５０は遊技領域２１における大入賞装置３３の左側に配置され、第２装飾部材６０は遊技領域２１における大入賞装置３３の右側に配置されており、装飾部材５０、６０はいわゆるサイド飾りを構成している。また、第１装飾部材５０には、普通図柄表示装置５６（図３（ａ）参照）と左入賞口３４、３５がユニット化されており、
第２装飾部材６０には、２つの特別図柄表示装置６１、６２
ユニット化されている。
（２−ウ）「【００３３】
　
第１特別図柄表示部６１と第２特別図柄表示部６２は、
７個のＬＥＤから構成されており、これらのＬＥＤにより第１本図柄と第２本図柄が表示される。
特別図柄表示部６１、６２を構成する各ＬＥＤは、点灯および消灯が可能となっており、これら各ＬＥＤの点灯および消灯の組合せにより本図柄の複数の表示態様を表示できる。
【００３４】
　
図４は、特別図柄表示部６１、６２による特別図柄（本図柄）の表示態様を示しており、
図４（ｂ）、（ｃ）に示す当り図柄の組合せには、通常大当りを発生させる通常大当り図柄（図４（ｂ））と、確変大当りを発生させる確変大当り図柄（図４（ｃ））がある。
（２−エ）図４（ｂ）及び図４（ｃ）から、図４（ｂ）の
通常大当たり図柄と、
確変大当り図柄とで、特別図柄表示部のパターンが異なる
　また、上記（２−ウ）の段落【００３３】には、「第１特別図柄表示部６１と第２特別図柄表示部６２は・・・７個のＬＥＤから構成されており、これらのＬＥＤにより第１本図柄と第２本図柄が表示される。・・・特別図柄表示部６１、６２を構成する各ＬＥＤは、点灯および消灯が可能となっており、これら各ＬＥＤの点灯および消灯の組合せにより本図柄の複数の表示態様を表示できる。」と記載され、上記（２−ウ）の段落【００３４】には、「図４は、特別図柄表示部６１、６２による特別図柄（本図柄）の表示態様を示しており、・・・図４（ｂ）、（ｃ）に示す当り図柄の組合せには、通常大当りを発生させる通常大当り図柄（図４（ｂ））と、確変大当りを発生させる確変大当り図柄（図４（ｃ））がある。」と記載されている。
　したがって、
図４（ｂ）及び図４（ｃ）に示された特別図柄表示部のパターンは、第１特別図柄表示部６１と第２特別図柄表示部６２を構成する複数のＬＥＤにより、通常大当り及び確変大当りを、それぞれ異なる点灯及び消灯の組み合わせで表示した、通常大当り図柄及び確変大当り図柄である
　よって、図４（ｂ）及び図４（ｃ）には、
第１特別図柄表示部６１及び第２特別図柄表示部６２が、複数のＬＥＤから構成され、通常大当り及び確変大当りを、各ＬＥＤのそれぞれ異なる点灯及び消灯の組み合わせによる、通常大当り図柄及び確変大当り図柄で表示する
　上記（２−ア）〜（２−ウ）の記載事項及び上記（２−エ）で認定される図示内容より、以下の事項が導かれる。
（２−オ）上記（２−イ）の段落【００２０】には「第２装飾部材６０には、２つの特別図柄表示装置６１、６２・・・ユニット化されている。」と記載されているから、
特別図柄表示装置６１、６２は、第２装飾部材６０に設けられている
　そして、上記（２−ア）の段落【００１１】には、「遊技機１・・・は、・・・遊技盤２０・・・を備えている。」と記載され、上記（２−イ）の段落【００１９】には、「遊技領域２１内には、・・・第２装飾部材６０・・・が配設されている。」と記載されているから、
第２装飾部材６０は遊技機１の備える遊技盤に設けられている
　したがって、
遊技機１が特別図柄表示装置６１、６２を有する
　そして、上記（２−ア）の段落【００１０】には「パチンコ遊技機（以下、単に遊技機という）」と記載されているから、段落【００１１】の記載における「遊技機」は「パチンコ遊技機」のことであるといえる。
　よって、刊行物２には、
特別図柄表示装置６１、６２がパチンコ機に設けられている
（２−カ）上記（２−エ）により、
第１特別図柄表示部６１及び第２特別図柄表示部６２は、複数のＬＥＤから構成され、通常大当り及び確変大当りを、各ＬＥＤのそれぞれ異なる点灯及び消灯の組み合わせによる、通常大当り図柄及び確変大当り図柄で表示する
　また、上記認定事項（２−オ）により、
特別図柄表示装置６１、６２はパチンコ機に設けられている
　よって、刊行物２には、パチンコ機に設けられた
第１特別図柄表示部６１及び第２特別図柄表示部６２は、複数のＬＥＤから構成され、通常大当り及び確変大当りを、各ＬＥＤのそれぞれ異なる点灯及び消灯の組み合わせによる、通常大当り図柄及び確変大当り図柄で表示するものである
　上記（２−ア）〜（２−ウ）の記載事項及び上記（２−エ）で認定される図示内容、及び上記認定事項（２−オ）、（２−カ）により、刊行物２には、以下の発明（以下、「刊行物２に記載された技術的事項」という。）が記載されていると認められる。
「複数のＬＥＤから構成され、通常大当り及び確変大当りを、各ＬＥＤのそれぞれ異なる点灯及び消灯の組み合わせによる、通常大当り図柄及び確変大当り図柄で表示する、第１特別図柄表示部６１及び第２特別図柄表示部６２を有する、パチンコ機。」
（３）対比
　本願補正発明と刊行物１発明とを対比する。なお、刊行物１発明の構成ａ〜ｄに対応して見出し（ａ）〜（ｄ）を付した。
　
（ａ）刊行物１発明の、「始動口６０Ａ」への「遊技球の入賞により」「変動表示が開始される」「特別図柄」は、本願補正発明の「第１特別図柄」に相当する。
　よって、刊行物１発明の「遊技球の入賞により、抽選処理及び当該抽選処理の抽選結果を示す特別図柄の変動表示が開始される始動口６０Ａ」は、本願補正発明の「遊技球の入賞により、第１特別図柄の変動表示を開始させる権利を発生させる第１始動口」に相当する。
（ｂ）刊行物１発明の、「始動口６０Ｂ」への「遊技球の入賞により」「変動表示が開始される」「特別図柄」は、本願補正発明の「第２特別図柄」に相当する。
　よって、刊行物１発明の「遊技球の入賞により、抽選処理及び当該抽選処理の抽選結果を示す特別図柄の変動表示が開始される始動口６０Ｂ」は、本願補正発明の「遊技球の入賞により、第２特別図柄の変動表示を開始させる権利を発生させる第２始動口」に相当する。
（ｃ）上記（ａ）で検討したように、刊行物１発明の「始動口６０Ａ」は、本願補正発明の「第１始動口」に相当する。また、上記（ｂ）で検討したように、刊行物１の「始動口６０Ｂ」は、本願補正発明の「第２始動口」に相当する。
　そして、刊行物１発明の「始動口６０Ａへの遊技球の入賞により開始される抽選処理の抽選結果を示す特別図柄」、「始動口６０Ｂへの遊技球の入賞により開始される抽選処理の抽選結果を示す特別図柄」、「図柄表示装置であるＬＥＤ表示基板６６」及び「パチンコ機１０」は、それぞれ、本願補正発明の「前記第１特別図柄」、「前記第２特別図柄」、「図柄表示装置」及び「パチンコ遊技機」に相当する。
　よって、刊行物１発明の「始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有するパチンコ機１０」は、本願補正発明の「前記第１特別図柄及び前記第２特別図柄が表示される図柄表示装置を有するパチンコ遊技機」に相当する。
（ｄ）刊行物１発明の「特別図柄表示ＬＥＤ１４８」は、その１つが、本願補正発明の「ＬＥＤの単体」に相当するから、刊行物１発明の「特別図柄表示ＬＥＤ１４８」を「列状に配置」することは、本願補正発明の「ＬＥＤの単体を列状に配置」することに相当する。
　したがって、刊行物１発明の「列状に配置されて特別図柄を表示する複数の特別図柄表示ＬＥＤ１４８」は、本願補正発明の「ＬＥＤの単体を列状に配置した特別図柄の表示部」に相当する。
　また、刊行物１発明の「普通図柄保留表示ＬＥＤ１５０」または「特別図柄保留表示ＬＥＤ１５２」は、その１つが本願補正発明の「ＬＥＤの単体」に相当するから、刊行物１発明の「普通図柄保留表示ＬＥＤ１５０」または「特別図柄保留表示ＬＥＤ１５２」を「列状に配置」することは、本願補正発明の「ＬＥＤの単体を列状に配置」することに相当し、刊行物１発明の「普通図柄作動ゲート６４を通過した遊技球の数」及び「始動口６０Ａ、６０Ｂに入球した遊技球の数」は、遊技に関連した特別図柄とは異なる情報であることは明らかであるから、本願補正発明の「その他の遊技関連情報」に相当する。
　したがって、刊行物１発明の「列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２」は、本願補正発明の「ＬＥＤの単体を列状に配置したその他の遊技関連情報の表示部」に相当する。　
　また、刊行物１発明の「複数の特別図柄表示ＬＥＤ１４８と」、「複数の普通図柄保留表示ＬＥＤ１５０と、」「複数の特別図柄保留表示ＬＥＤ１５２とを、近接して配置」したことは、本願補正発明の「特別図柄の表示部と、」「その他の遊技関連情報の表示部とを、集約配置した」ことに相当する。
　したがって、刊行物１発明の「ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置したものであ」ることは、本願補正発明と、「前記図柄表示装置は、」「ＬＥＤの単体を列状に配置した特別図柄の表示部と、ＬＥＤの単体を列状に配置したその他の遊技関連情報の表示部とを、集約配置したものであ」る点で共通する。
　
　また、刊行物１発明の「複数の特別図柄表示ＬＥＤ１４８」は「特別図柄」を「表示」するから、本願補正発明の「前記特別図柄の表示部を構成するランプ」に相当し、また、確変大当りと通常大当りの当りの価値が異なることは、パチンコ機の技術分野における技術常識であるから、刊行物１発明の「確変大当りと通常大当りとの２種類」は、本願補正発明の「当たり価値の異なる複数の種別」の「当たり」に相当する。
　そして、刊行物１発明の「大当り図柄」は、本願補正発明の所定の「態様」に相当し、刊行物１発明の「始動口６０Ａまたは始動口６０Ｂへの遊技球の入賞により開始される抽選処理の抽選結果を示す」「特別図柄」は、本願補正発明の「前記第１特別図柄と前記第２特別図柄」に相当する。
　したがって、刊行物１発明の「複数の特別図柄表示ＬＥＤ１４８により表示される特別図柄により、確変大当りと通常大当りとの２種類の大当りの抽選結果を大当り図柄で停止表示し、始動口６０Ａまたは始動口６０Ｂへの遊技球の入賞により開始される抽選処理の抽選結果を示す」ことは、本願補正発明と、「前記特別図柄の表示部を構成するランプの」「表示態様により、当たり価値の異なる複数の種別を」、所定の「態様で表示可能な前記第１特別図柄及び前記第２特別図柄を表示する」点で共通する。
　
　また、上記（ｃ）で検討したように、刊行物１発明の「パチンコ機１０」は、本願補正発明の「パチンコ遊技機」に相当する。
　
　よって、刊行物１発明の「ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置したものであり、複数の特別図柄表示ＬＥＤ１４８により表示される特別図柄により、確変大当りと通常大当りとの２種類の大当りの抽選結果を大当り図柄で停止表示し、始動口６０Ａまたは始動口６０Ｂへの遊技球の入賞により開始される抽選処理の抽選結果を示す、パチンコ機１０」は、本願補正発明と、「前記図柄表示装置は、」「ＬＥＤの単体を列状に配置した特別図柄の表示部と、ＬＥＤの単体を列状に配置したその他の遊技関連情報の表示部とを、集約配置したものであり、」「前記特別図柄の表示部を構成するランプの」「表示態様により」、「当たり価値の異なる複数の種別を」所定の「態様で表示可能な前記第１特別図柄及び前記第２特別図柄を表示するものである」「パチンコ遊技機」である点で共通する。
　以上のことから、本願補正発明と刊行物１発明との間には、次の一致点、相違点があるといえる。
［一致点］
「Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ’　前記図柄表示装置は、ＬＥＤの単体を列状に配置した特別図柄の表示部と、ＬＥＤの単体を列状に配置したその他の遊技関連情報の表示部とを、集約配置したものであり、前記特別図柄の表示部を構成するランプの表示態様により、当たり価値の異なる複数の種別を、所定の態様で表示可能な前記第１特別図柄及び前記第２特別図柄を表示するものである、パチンコ遊技機。」
［相違点］
（相違点１）（構成Ｄに関して）
　「図柄表示装置」に関して、本願補正発明は、「遊技領域形成部材であるレールの外側に配置される」のに対して、刊行物１発明は、そのような構成を有しない点。
（相違点２）（構成Ｄに関して）
　「図柄表示装置」「で表示可能な」「当たり価値の異なる複数の種別」の「態様」に関して、本願補正発明は、「それぞれ異なる組み合わせ態様で表示可能」であるのに対して、刊行物１発明は、そのような構成を有するかが不明である点。
（４）判断
ア　相違点１についての判断
　上記相違点１について検討する。パチンコ機の技術分野において、特別図柄が表示される図柄表示装置を、遊技領域形成部材であるレールの外側に配置することは、周知技術である（例えば、特開２００６−３３０号公報の段落【０００６】及び図１に記載された、特別図柄用可変表示装置１１０が遊技盤面１０３ａより上方（レールの外側）に配置されている点、特開２００８−２２８８６７号公報の段落【０２６４】、【０２７４】〜【０２７５】、【０２７９】〜【０２８０】及び図１１５、１１７に記載された、上特別図柄表示器１４８０及び下特別図柄表示器１４９０が、アウト口誘導通路１２００ａの外側の非遊技領域に設けられた機能表示飾り枠２５１ｃの機能表示ユニット１２２５に配置されている点、「ＭＥＧＡ　ＳＥＬＥＣＴＩＯＮ　潜確７セグ＆ランプ判別攻略」，パチンコ攻略マガジン１０．１１号，株式会社双葉社，２００８年９月１２日（特許庁受入日），ｐ．８４−８６における、ｐ．８４中央に図示された、「ＣＲぱちんこ必殺仕事人ＩＩＩ　桜バージョン」という機種における抽選結果を表示する「ヘソ入賞対応セグ」及び「電チュー入賞対応セグ」が、遊技領域を形成するレールの外側に配置されている点、同文献のｐ．８５中央に図示された、「ＣＲぱちんこアバンギャルド」という機種のパチンコ機における「ヘソ入賞対応セグ」及び「電チュー入賞対応セグ」が、レールの外側に配置されている点、同文献のｐ．８６上部に図示された、「ＣＲぱちんこ冬のソナタ２」という機種のパチンコ機における「ヘソ入賞対応セグ」及び「電チュー入賞対応セグ」が、レールの外側に配置されている点について参照されたい。）。
　そして、刊行物１発明において、ＬＥＤ表示基板６６をいずれの位置に配置するかは、当業者が適宜選択し得ることである。
　よって、刊行物１発明における特別図柄の図柄表示装置であるＬＥＤ表示基板６６を、上記周知技術に基づいて遊技領域形成部材であるレールの外側に配置することによって、相違点１に係る本願補正発明の構成とすることは、当業者が適宜なし得ることである。
イ　相違点２についての判断
　上記相違点２について検討する。上記（２）（２−２）で検討したように、刊行物２には、「複数のＬＥＤから構成され、通常大当り及び確変大当りを、各ＬＥＤのそれぞれ異なる点灯及び消灯の組み合わせによる、通常大当り図柄及び確変大当り図柄で表示する、第１特別図柄表示部６１及び第２特別図柄表示部６２を有する、パチンコ機」について記載されている。
　そして、刊行物１発明と刊行物２に記載された技術的事項とは、共に、パチンコ機において、複数のＬＥＤを有する特別図柄の表示部により、確変大当り及び通常大当りといった、当たり価値の異なる複数の種別の当たりを表示する技術分野に属するものである。
　よって、刊行物１発明のＬＥＤ表示基板６６による、確変大当り及び通常大当りの表示態様として、刊行物２に記載された技術的事項を適用し、上記相違点２に係る本願補正発明の構成とすることは、当業者が容易になし得ることである。
　そして、本願補正発明の作用効果も、刊行物１発明、刊行物２に記載された技術的事項、及び上記周知技術から当業者が予測できる範囲のものである。
　よって、本願補正発明は、刊行物１発明、刊行物２に記載された技術的事項、及び上記周知技術に基づいて、当業者が容易に発明をすることができたものである。
（５）請求人の主張について
　請求人は、審判請求書第５頁第４行〜第６頁第６行において、
「拒絶理由通知書において提示された引用文献１、２の何れにも、本願の「ＬＥＤの単体を列状に配置した特別図柄の表示部と、ＬＥＤの単体を列状に配置したその他の遊技関連情報の表示部とを、集約配置」した「図柄表示装置」を「遊技領域形成部材であるレールの外側に配置」する構成に言及する記述はない。・・・引用文献３が示唆するのは、液晶表示器と「ひとつながり」となる位置に特別図柄表示器を配置するのであれば必ずしも遊技領域内でなくてもよいという意味であり、遊技領域を画成するレールの外側に、しかも液晶表示器から孤立して特別図柄表示器を配置するという意味にまで拡張して解釈すべきではない。
　また、引用文献３の発明の目的は、遊技者の目を液晶表示器が表示する演出情報よりもむしろ図柄表示器が表示する特別図柄にも注視させることであり（段落〔０００３〕、〔０００５〕、〔００５２〕参照）、本願発明が目的とする遊技者の視線を図柄表示装置から遠ざけ、それにより当たり判別をより困難にするという上記効果（Ａ）（Ｂ）（Ｃ）とは明確に対立する。」
と主張している。
　しかしながら、請求人の主張する「図柄表示装置」が「当たり価値の異なる複数の種別をそれぞれ異なる組み合わせ態様で表示」する構成については、上記（２）（２−２）で検討したように、上記刊行物２（特開２００８−１４８７３１号公報、補正の却下の決定で引用された引用文献４）に記載された事項であり、請求人の主張する「図柄表示装置」を「遊技領域形成部材であるレールの外側に配置」することは、上記（４）アで検討したように、パチンコ機の技術分野における周知技術である。
　したがって、請求人の上記主張における引用文献１については検討するまでもなく、上記（４）で検討したように、本願補正発明は刊行物１発明（刊行物１は請求人の上記主張における引用文献２に相当）に対して刊行物２に記載された技術的事項及び上記周知技術を適用することにより、当業者が容易に想到し得るものである。
　よって、請求人の主張を採用することはできない。
（６）まとめ
　したがって、本願補正発明は、特許法第２９条第２項の規定に基づいて特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
１．本願発明
　本件補正は、上記のとおり却下されることとなったので、本願の請求項１に係る発明は、平成２７年９月２５日付け手続補正書により補正された特許請求の範囲の請求項１に記載された事項により特定されるとおりのものであるところ、その請求項１に係る発明（以下、「本願発明」という。）は、次のとおりのものである（Ａ〜Ｄ”は、本願発明を分説するために当審で付した。）。
「【請求項１】
Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ”　前記図柄表示装置は、ＬＥＤの単体を列状に配置した特別図柄の表示部と、その他の遊技関連情報の表示部とを、集約配置したものであり、前記特別図柄の表示部を構成するランプの点灯および消灯の組合せによる表示態様により、前記第１特別図柄及び前記第２特別図柄を表示するものであることを特徴とするパチンコ遊技機。」
２．刊行物に記載された事項
（１）刊行物３
　原査定の拒絶の理由（平成２８年３月１８日付け拒絶理由通知）に引用文献１として引用された特開２００７−２９２４２号公報（以下「刊行物３」という。）には、図面と共に以下の事項が記載されている（下線は当審で付した。以下同じ。）。
（３−ア）「【００４２】
　手段８：「遊技領域内に配置され遊技媒体が常時入賞可能な第一始動口と、
　前記遊技領域内に配置され開放した場合に遊技媒体が入賞可能となる第二始動口と、
　
前記第一始動口に前記遊技媒体が入賞したことを検出する第一入賞状態検出手段
　
前記第二始動口に前記遊技媒体が入賞したことを検出する第二入賞状態検出手段
　
第一特別図柄が表示される第一特別図柄表示器
　
第二特別図柄が表示される第二特別図柄表示器
　前記第一入賞状態検出手段による前記遊技媒体の検出に基づいて第一大当り判定用乱数を抽出し抽選を行う第一抽選手段と、
　前記第一入賞状態検出手段によって検出された入賞状態に基づいて、第一大当り図柄用乱数を抽出し、前記第一抽選手段の抽選結果に対応した前記第一特別図柄の停止図柄を決定する第一表示態様決定手段と、
　特定の遊技状態か否かを判定する遊技状態判定手段と、
　該遊技状態判定手段によって前記特定の遊技状態になったことが判定されると、前記第二始動口を前記遊技媒体の入賞が可能な状態へと変化させ得る入賞率変更手段と、
　前記第二入賞状態検出手段による前記遊技媒体の検出に基づいて第二大当り判定用乱数を抽出し抽選を行う第二抽選手段と、
　前記第一入賞状態検出手段によって検出された入賞状態に基づいて、第一大当り図柄用乱数を抽出し、前記第二抽選手段の抽選結果に対応した前記第二特別図柄の停止図柄を決定する第二表示態様決定手段と、
　前記第一入賞状態検出手段及び前記第二入賞状態検出手段による前記遊技媒体の検出順に従って前記第一特別図柄または前記第二特別図柄を変動させるとともに、前記第一表示態様決定手段または前記第二表示態様決定手段によって決定された停止図柄で前記第一特別図柄または前記第二特別図柄の変動を停止させる特別図柄変動制御手段と、
　抽出された、前記第一大当り判定用乱数、前記第二大当り判定用乱数、前記第一大当り図柄用乱数、及び前記第二大当り図柄用乱数を記憶させることが可能な乱数記憶手段であって、第一始動記憶数と第二始動記憶数との合計である合計始動記憶数（「１」〜「ｍ」）の値に夫々対応付けられた、ｍ個の記憶領域からなる乱数記憶手段と、
　前記第一特別図柄または前記第二特別図柄の前記変動中に、
前記第一入賞状態検出手段によって前記遊技媒体が検出された場合、
前記第一特別図柄の変動表示を、
行わせる
　前記第一特別図柄または前記第二特別図柄の前記変動中に、
前記第二入賞状態検出手段によって前記遊技媒体が検出された場合、
前記第二特別図柄の変動表示を、
行わせる
・・・」
（３−イ）「【００６４】
　手段１４：手段１〜手段１３のいずれか一つの構成において、「
前記遊技機は、パチンコ機である
（３−ウ）「【００７３】
　以下、
本発明の一実施形態であるパチンコ遊技機（以下、単に「パチンコ機」という）
［パチンコ機の全体構成について］　図１に基づき説明する。
　図１はパチンコ機の外枠の一側に本体枠が開かれその本体枠の一側に前面枠が開かれた状態を示す斜視図である。なお、図１においては遊技領域における装飾部材が省略された図を示している。
　パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。」
（３−エ）「【００８６】
　また、
センター役物９１の下縁部には、
四つのＬＥＤ１１０ａと、
四つのＬＥＤ１１０ｂと、第一大当り抽選の保留状態を示す四つのＬＥＤ
１１１ａと、第二大当り抽選の保留状態を示す四つのＬＥＤ１１１ｂとが設けられている。
（３−オ）「【０１０９】
［特別図柄表示器の構成について］　図３に基づき説明する。
　本実施形態では、センター役物９１の下縁部のうち、
左右に夫々４つのＬＥＤ１１０ａ，１１０ｂが配列されており、
ＬＥＤ１１０ａ，１１０ｂの配列が第一特別図柄表示器３３２ａ
及び第二特別図柄表示器３３２ｂ
として機能している。
【０１１０】
　例えば、
第一特別図柄表示器３３２ａの機能はＬＥＤ１１０ａの点灯・消灯によって実現することができる。
４つのＬＥＤ１１０ａの点灯・消灯表示パターンによって特別図柄
を表示する。
【０１１１】
　さらに詳細に説明すると、個々のＬＥＤ１１０ａは１色（例えば赤色）の発光タイプであり、各ＬＥＤ１１０ａは「消灯」、及び「点灯」の２通りに表示パターンを切り替えることができる。したがって、４つのＬＥＤ１１０ａを配列した場合の点灯・消灯表示パターンは、全部で１６通り（２４＝１６）のものを用意することができる。なお、ここでは説明の便宜のために１色だけとしているが、ＬＥＤ１１０ａの点灯色は２色以上であってもよい。また、ＬＥＤ１１０ａの配置は１箇所にまとまっている必要はなく、ばらばらに配置されていてもよいし、特に盤面上に配置されている必要もない。あるいは、特別図柄を５つ以上のＬＥＤによって表示してもよいし、７セグメントＬＥＤを用いて表示してもよい。なお、
第二特別図柄表示器３３２ｂの機能は、第一特別図柄表示器３３２ａと同様、ＬＥＤ１１０ｂの点灯・消灯によって実現することができる。
（３−カ）図３により、「１１０ａ」及び「１１０ｂ」で示された部材が、それぞれ列状に配置されていることがみてとれる。
　そして、上記（３−オ）の段落【０１０９】には、「左右に夫々４つのＬＥＤ１１０ａ，１１０ｂが配列されており、」と記載されているから、図３に記載された「１１０ａ」及び「１１０ｂ」で示された部材は、夫々４つのＬＥＤ１１０ａ，１１０ｂであるといえる。
　よって、図３には、
４つのＬＥＤ１１０ａ及び４つのＬＥＤ１１０ｂが列状に配置されている
　上記（３−ア）〜（３−オ）の記載事項及び上記（３−カ）により認定される図示内容により、以下の事項が導かれる。
（３−キ）上記（３−ア）の段落【００４２】には、「前記第一始動口に前記遊技媒体が入賞したことを検出する第一入賞状態検出手段・・・前記第二始動口に前記遊技媒体が入賞したことを検出する第二入賞状態検出手段・・・第一特別図柄が表示される第一特別図柄表示器・・・第二特別図柄が表示される第二特別図柄表示器・・・前記第一入賞状態検出手段によって前記遊技媒体が検出された場合、・・・前記第一特別図柄の変動表示を、・・・行わせる・・・前記第二入賞状態検出手段によって前記遊技媒体が検出された場合、・・・前記第二特別図柄の変動表示を、・・・行わせる」と記載されているから、第一始動口に前記遊技媒体が入賞したことを検出する第一入賞状態検出手段によって前記遊技媒体が検出された場合に第一特別図柄の変動表示が行われ、第二始動口に前記遊技媒体が入賞したことを検出する第二入賞状態検出手段によって前記遊技媒体が検出された場合に前記第二特別図柄の変動表示が行われること、すなわち、
第一始動口への遊技媒体の入賞により第一特別図柄の変動表示が行われ、第二始動口への遊技媒体の入賞により第二特別図柄の変動表示が行われる
　よって、刊行物３には、
遊技媒体の入賞により、第一特別図柄の変動表示が行われる第一始動口と、遊技媒体の入賞により、第二特別図柄の変動表示が行われる第二始動口
（３−ク）上記（３−オ）の段落【０１０９】には「第一特別図柄表示器３３２ａ・・・及び第二特別図柄表示器３３２ｂ」と記載され、上記（３−ア）の段落【００４２】には、「第一特別図柄が表示される第一特別図柄表示器と、第二特別図柄が表示される第二特別図柄表示器」と記載されているから、第一特別図柄表示器３３２ａは第一特別図柄が表示されるものであり、第一特別図柄表示器３３２ｂは第二特別図柄が表示されるものであるといえる。
　また、上記（３−エ）の段落【００８６】には、「第一大当り抽選の保留状態を示す四つのＬＥＤ・・・１１１ａと、第二大当り抽選の保留状態を示す四つのＬＥＤ１１１ｂとが設けられている。」と記載されている。
　よって、刊行物３には、
第一特別図柄及び第二特別図柄が表示される第一特別図柄表示器３３２ａ及び第二特別図柄表示器３３２ｂと、第一大当り抽選及び第二大当り抽選の保留状態を示す四つのＬＥＤ１１１ａ及び四つのＬＥＤ１１１ｂ
（３−ケ）上記（３−オ）の段落【０１０９】には、「ＬＥＤ１１０ａ，１１０ｂの配列が第一特別図柄表示器３３２ａ・・・及び第二特別図柄表示器３３２ｂ・・・として機能している。」と記載され、上記（３−オ）の段落【０１１０】には、「第一特別図柄表示器３３２ａの機能はＬＥＤ１１０ａの点灯・消灯によって実現することができる。・・・４つのＬＥＤ１１０ａの点灯・消灯表示パターンによって特別図柄・・・を表示する。」と記載され、上記（３−オ）の段落【０１１１】には、「第二特別図柄表示器３３２ｂの機能は、第一特別図柄表示器３３２ａと同様、ＬＥＤ１１０ｂの点灯・消灯によって実現することができる。」と記載されているから、
第一特別図柄表示器３３２ａ及び第一特別図柄表示器３３２ｂは、４つのＬＥＤ１１０ａ及び４つのＬＥＤ１１０ｂを配列して、ＬＥＤ１１０ａ及びＬＥＤ１１０ｂの点灯・消灯表示パターンによって特別図柄を表示するものである
　また、上記（３−ク）により、
第一特別図柄表示器３３２ａ及び第二特別図柄表示器３３２ｂは、第一特別図柄及び第二特別図柄を表示するものである
　そして、上記（３−カ）により、
４つのＬＥＤ１１０ａ及び４つのＬＥＤ１１０ｂは列状に配置されている
　したがって、
第一特別図柄表示器３３２ａ及び第一特別図柄表示器３３２ｂは、４つのＬＥＤ１１０ａ及び４つのＬＥＤ１１０ｂを列状に配置して特別図柄を表示するものであり、ＬＥＤ１１０ａ及びＬＥＤ１１０ｂの点灯・消灯表示パターンによって第一特別図柄及び第二特別図柄を表示するものである
　また、上記（３−エ）の段落【００８６】には、「センター役物９１の下縁部には、・・・四つのＬＥＤ１１０ａと、・・・四つのＬＥＤ１１０ｂと、第一大当り抽選の保留状態を示す四つのＬＥＤ・・・１１１ａと、第二大当り抽選の保留状態を示す四つのＬＥＤ１１１ｂとが設けられている。」と記載されているから、
四つのＬＥＤ１１０ａと、四つのＬＥＤ１１０ｂと、第一大当り抽選の保留状態を示す四つのＬＥＤ１１１ａ及び第二大当り抽選の保留状態を示す四つのＬＥＤ１１１ｂがセンター役物９１の下縁部に設けられている
　よって、刊行物３には、
４つのＬＥＤ１１０ａ及び４つのＬＥＤ１１０ｂを列状に配置して特別図柄を表示する第一特別図柄表示器３３２ａ及び第一特別図柄表示器３３２ｂと、第一大当り抽選及び第二大当り抽選の保留状態を示す四つのＬＥＤ１１１ａ及び四つのＬＥＤ１１１ｂとが、センター役物９１の下縁部に設けられ、ＬＥＤ１１０ａ及びＬＥＤ１１０ｂの点灯・消灯表示パターンによって第一特別図柄及び第二特別図柄を表示する
　上記（３−ア）〜（３−オ）の記載事項、上記（３−カ）で認定された図示内容、及び（３−キ）〜（３−ケ）の認定事項により、刊行物３には、次の発明が記載されていると認められる（以下、「刊行物３発明」という。）。
「ａ　遊技媒体の入賞により、第一特別図柄の変動表示が行われる第一始動口と（上記（３−キ））、
ｂ　遊技媒体の入賞により、第二特別図柄の変動表示が行われる第二始動口と（上記（３−キ））、
ｃ　第一特別図柄及び第二特別図柄が表示される第一特別図柄表示器３３２ａ及び第二特別図柄表示器３３２ｂと、第一大当り抽選及び第二大当り抽選の保留状態を示す四つのＬＥＤ１１１ａ及び四つのＬＥＤ１１１ｂと、を有するパチンコ機であって（上記（３−ウ）、（３−ク））、
ｄ　４つのＬＥＤ１１０ａ及び４つのＬＥＤ１１０ｂを列状に配置して特別図柄を表示する第一特別図柄表示器３３２ａ及び第一特別図柄表示器３３２ｂと、第一大当り抽選及び第二大当り抽選の保留状態を示す四つのＬＥＤ１１１ａ及び四つのＬＥＤ１１１ｂとが、センター役物９１の下縁部に設けられ、ＬＥＤ１１０ａ及びＬＥＤ１１０ｂの点灯・消灯表示パターンによって第一特別図柄及び第二特別図柄を表示する、パチンコ機（上記（３−ウ）、（３−ケ））。」
３．対比
　本願発明と刊行物３発明とを対比する。なお、刊行物３発明の構成ａ〜ｄに対応して見出し（ａ）〜（ｄ）を付した。
（ａ）刊行物３発明の「遊技媒体」及び「第一特別図柄」は、それぞれ、本願発明の「遊技球」及び「第１特別図柄」に相当する。
　また、刊行物３発明の「遊技媒体の入賞により、第一特別図柄の変動表示が行われる」ことは、「遊技媒体の入賞により」、「第一特別図柄の変動表示」を開始させる権利を発生させることを意味するから、本願発明の「遊技球の入賞により、第１特別図柄の変動表示を開始させる権利を発生させる」ことに相当する。
　よって、刊行物３発明の「遊技媒体の入賞により、第一特別図柄の変動表示が行われる第一始動口」は、本願発明の「遊技球の入賞により、第１特別図柄の変動表示を開始させる権利を発生させる第１始動口」に相当する。
（ｂ）刊行物３発明の「第二特別図柄」は、本願発明の「第２特別図柄」に相当する。
　また、刊行物３発明の「遊技媒体の入賞により、第二特別図柄の変動表示が行われる」ことは、「遊技媒体の入賞により」、「第二特別図柄の変動表示」を開始させる権利を発生させることを意味するから、本願発明の「遊技球の入賞により、第２特別図柄の変動表示を開始させる権利を発生させる」ことに相当する。
　よって、刊行物３発明の「遊技媒体の入賞により、第二特別図柄の変動表示が行われる第二始動口」は、本願発明の「遊技球の入賞により、第２特別図柄の変動表示を開始させる権利を発生させる第２始動口」に相当する。
（ｃ）上記（ａ）で検討したように、刊行物３発明の「第一特別図柄」は本願発明の「前記第１特別図柄」に相当し、上記（ｂ）で検討したように、刊行物３発明の「第二特別図柄」は本願発明の「前記第２特別図柄」に相当するから、刊行物３発明の「第一特別図柄及び第二特別図柄が表示される第一特別図柄表示器３３２ａ及び第二特別図柄表示器３３２ｂ」は、本願発明の「前記第１特別図柄及び前記第２特別図柄が表示される」機能を有する。
　また、本願発明の構成Ｄ”により、本願発明の「図柄表示装置」は、「特別図柄の表示部と、その他の遊技関連情報の表示部と」からなるものであるといえる。
　そして、刊行物３発明の「第一大当り抽選及び第二大当り抽選の保留状態を示す四つのＬＥＤ１１１ａ及び四つのＬＥＤ１１１ｂ」は、遊技に関連した特別図柄とは異なる情報を表示するものであることは明らかであるから、本願発明の「図柄表示装置」の有する「その他の遊技関連情報の表示部」に相当する。
　したがって、刊行物３発明の「第一特別図柄及び第二特別図柄が表示される第一特別図柄表示器３３２ａ及び第二特別図柄表示器３３２ｂと、第一大当り抽選及び第二大当り抽選の保留状態を示す四つのＬＥＤ１１１ａ及び四つのＬＥＤ１１１ｂ」は、本願発明の「前記第１特別図柄及び前記第２特別図柄が表示される図柄表示装置」に相当する。
　また、刊行物３発明の「パチンコ機」は、本願発明の「パチンコ遊技機」に相当する。
　よって、刊行物３発明の「第一特別図柄及び第二特別図柄が表示される第一特別図柄表示器３３２ａ及び第二特別図柄表示器３３２ｂと、第一大当り抽選及び第二大当り抽選の保留状態を示す四つのＬＥＤ１１１ａ及び四つのＬＥＤ１１１ｂと、を有するパチンコ機」は、本願発明の「前記第１特別図柄及び前記第２特別図柄が表示される図柄表示装置を有するパチンコ遊技機」に相当する。
（ｄ）上記（ｃ）で検討したように、刊行物３発明の「第一特別図柄及び第二特別図柄が表示される第一特別図柄表示器３３２ａ及び第二特別図柄表示器３３２ｂと、第一大当り抽選及び第二大当り抽選の保留状態を示す四つのＬＥＤ１１１ａ及び四つのＬＥＤ１１１ｂ」は、本願発明の「図柄表示装置」に相当する。
　また、刊行物３発明の「ＬＥＤ１１０ａ」または「ＬＥＤ１１０ｂ」の１つは、本願発明の「ＬＥＤの単体」に相当するので、刊行物３発明の「４つのＬＥＤ１１０ａ及び４つのＬＥＤ１１０ｂを列状に配置して特別図柄を表示する第一特別図柄表示器３３２ａ及び第一特別図柄表示器３３２ｂ」は、本願発明の「ＬＥＤの単体を列状に配置した特別図柄の表示部」に相当する。
　また、上記（ｃ）で検討したように、刊行物３発明の「第一大当り抽選及び第二大当り抽選の保留状態を示す四つのＬＥＤ１１１ａ及び四つのＬＥＤ１１１ｂ」は、本願発明の「他の遊技関連情報の表示部」に相当する。
　したがって、刊行物３発明の「４つのＬＥＤ１１０ａ及び４つのＬＥＤ１１０ｂを列状に配置して特別図柄を表示する第一特別図柄表示器３３２ａ及び第一特別図柄表示器３３２ｂと、第一大当り抽選及び第二大当り抽選の保留状態を示す四つのＬＥＤ１１１ａ及び四つのＬＥＤ１１１ｂとが、センター役物９１の下縁部に設けられ」ていることは、本願発明と、「前記図柄表示装置は、ＬＥＤの単体を列状に配置した特別図柄の表示部と、その他の遊技関連情報の表示部とを、」「配置した」点で共通する。
　また、刊行物３発明の「ＬＥＤ１１０ａ」及び「ＬＥＤ１１０ｂ」は、「特別図柄を表示する」から本願発明の「前記特別図柄の表示部を構成するランプ」に相当し、刊行物３発明の「点灯・消灯表示パターン」は、本願発明の「点灯および消灯の組合せによる表示態様」に相当する。
　したがって、刊行物３発明の「ＬＥＤ１１０ａ及びＬＥＤ１１０ｂの点灯・消灯表示パターンによって第一特別図柄及び第二特別図柄を表示する」ことは、本願発明の「前記特別図柄の表示部を構成するランプの点灯および消灯の組合せによる表示態様により、前記第１特別図柄及び前記第２特別図柄を表示する」ことに相当する。
　また、刊行物３発明の「パチンコ機」は、本願発明の「パチンコ遊技機」に相当する。
　
　よって、刊行物３発明の「４つのＬＥＤ１１０ａ及び４つのＬＥＤ１１０ｂを列状に配置して特別図柄を表示する第一特別図柄表示器３３２ａ及び第一特別図柄表示器３３２ｂと、第一大当り抽選及び第二大当り抽選の保留状態を示す四つのＬＥＤ１１１ａ及び四つのＬＥＤ１１１ｂとが、センター役物９１の下縁部に設けられ、ＬＥＤ１１０ａ及びＬＥＤ１１０ｂの点灯・消灯表示パターンによって第一特別図柄及び第二特別図柄を表示する、パチンコ機」は、本願発明の構成Ｄ”’と、「前記図柄表示装置は、ＬＥＤの単体を列状に配置した特別図柄の表示部と、その他の遊技関連情報の表示部とを」「配置したものであり、前記特別図柄の表示部を構成するランプの点灯および消灯の組合せによる表示態様により、前記第１特別図柄及び前記第２特別図柄を表示するものである」、「パチンコ遊技機」であるという点で共通する。
　以上のことから、本願発明と刊行物３発明との間には、次の一致点、相違点があるといえる。
［一致点］
「Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ”’前記図柄表示装置は、ＬＥＤの単体を列状に配置した特別図柄の表示部と、その他の遊技関連情報の表示部とを配置したものであり、前記特別図柄の表示部を構成するランプの点灯および消灯の組合せによる表示態様により、前記第１特別図柄及び前記第２特別図柄を表示するものである、
パチンコ遊技機。」
［相違点］（構成Ｄ”に関して）
　「ＬＥＤの単体を列状に配置した特別図柄の表示部」と、「その他の遊技関連情報の表示部」とが配置される「図柄表示装置」に関して、本願発明は「図柄表示装置」に「集約配置した」ものであるのに対して、刊行物３発明はそのような構成を有していない点。
４．判断
　上記相違点について検討する。
　上記第２の３．（２）（２−１）に示した刊行物１発明は、「ＬＥＤ表示基板６６は、列状に配置されて特別図柄を表示する複数の特別図柄表示ＬＥＤ１４８と、列状に配置されて普通図柄作動ゲート６４を通過した遊技球の数を表示する複数の普通図柄保留表示ＬＥＤ１５０と、列状に配置されて始動口６０Ａ、６０Ｂに入球した遊技球の数を表示する複数の特別図柄保留表示ＬＥＤ１５２とを、近接して配置したものであ」る構成を有する。この構成は、上記第２の３．（３）で検討したように、「図柄表示装置は、ＬＥＤの単体を列状に配置した特別図柄の表示部と、その他の遊技関連情報の表示部とを、集約配置したものであ」る構成に相当する。
　そして、刊行物１、３発明はともに特別図柄の表示部と、その他の遊技関連情報の表示部とを配置した図柄表示装置を有するパチンコ機の技術分野に属するものであり、刊行物３発明の図柄表示装置において、特別図柄の表示部と、その他の遊技関連情報の表示部との配置をいかなるものとするかは、当業者が適宜選択し得る程度のことである。
　よって、刊行物３発明の図柄表示装置に配置される特別図柄の表示部（第一特別図柄表示器３３２ａ及び第一特別図柄表示器３３２ｂ）と、その他の遊技関連情報の表示部（四つのＬＥＤ１１１ａ、１１１ｂ）とを、刊行物１発明に基づいて、集約配置することとし、上記相違点に係る本願発明の構成とすることは、当業者が容易になし得ることである。
　そして、本願発明の作用効果も、刊行物１発明、刊行物３発明に基づいて、当業者が容易に予測できる範囲のものである。
　よって、本願発明は、刊行物１発明、刊行物３発明に基づいて、当業者が容易に発明をすることができたものである。
５．むすび
　以上のとおり、本願発明は、特許法第２９条第２項の規定により特許を受けることができないものである。
　したがって、本願は拒絶すべきものである。